(57)【要約】本発明はＳＧＳＮ（サービングＧＰＲＳサポートノード）に接続されたＲＮＣ（無線ネットワーク制御局）によって制御されるＰＭＭアイドルモードのＵＥ（ユーザ機器）に対してＭＢＭＳ（マルチメディア放送／マルチキャスト・サービス）を開始する移動体通信システムの方法及び構成に関する。一つの実施例に従うＲＮＣにおける方法は、（ａ）ＵＥが回線交換接続モードに移行したことをＳＧＳＮに示す工程と、（ｂ）ＳＧＳＮからＭＢＭＳ  ＵＥコンテキストを受信する工程と、（ｃ）ＭＢＭＳに接続されたＵＥを制御することをＲＮＣに気づかせるためにＲＮＣにＭＢＭＳ  ＵＥコンテキストを付加する工程を含む。
2007518348.tif 000002
【特許請求の範囲】
【請求項１】
ＳＧＳＮ（サービングＧＰＲＳサポートノード）に接続されたＲＮＣ（無線ネットワーク制御局）によって制御されるＰＭＭアイドルモードにおけるＵＥ（ユーザ機器）に対してＭＢＭＳ（マルチメディア放送／マルチキャスト・サービス）を開始する移動体通信システムのＲＮＣにおける方法であって、
（ａ）前記ＵＥが回線交換接続モードに移行したことを前記ＳＧＳＮに指示する工程と、
（ｂ）前記ＳＧＳＮからＭＢＭＳ  ＵＥコンテキストを受信する工程と、
（ｃ）前記ＭＢＭＳに接続されたＵＥを制御することを前記ＲＮＣに気づかせるために前記ＲＮＣにＭＢＭＳ  ＵＥコンテキストを付加する工程とを有することを特徴とする方法。
【請求項２】
ＳＧＳＮ（サービングＧＰＲＳサポートノード）に接続されたＲＮＣ（無線ネットワーク制御局）によって制御されるＰＭＭアイドルモードにおけるＵＥ（ユーザ機器）に対してＭＢＭＳ（マルチメディア放送／マルチキャスト・サービス）を開始する移動体通信システムのＳＧＳＮにおける方法であって、
（ａ）前記ＵＥが回線交換接続モードに移行したこと示す指示を受信する工程と、
（ｂ）前記ＵＥが一つ以上のセションについて前記ＭＢＭＳを動作させたかどうかを、前記ＳＧＳＮに保存されたＭＢＭＳコンテキスト情報でチェックする工程と、
（ｃ）前記ＭＢＭＳに接続されたＵＥを制御することを前記ＲＮＣに気づかせるために前記ＲＮＣにＭＢＭＳ  ＵＥコンテキストを付加するために、前記ＲＮＣに前記ＭＢＭＳ  ＵＥコンテキストを提供する工程とを有することを特徴とする方法。 
【請求項３】
前記指示する工程は、前記ＲＮＣから前記ＳＧＳＮにメッセージを送信することにより実行されることを特徴とする請求項１に記載の方法。
【請求項４】
前記ＳＧＳＮにおいて前記指示を受信する時、ＰＭＭアイドル状態に前記ＵＥを維持する工程をさらに有することを特徴とする請求項１又は２に記載の方法。  
【請求項５】
前記ＳＧＳＮにおいて前記指示を受信する時、ＰＭＭ接続状態に前記ＵＥを移行させる工程をさらに有することを特徴とする請求項１又は２に記載の方法。
【請求項６】
前記提供する工程は、Ｉｕリンク要求メッセージを前記ＳＧＳＮから前記ＲＮＣに送信することにより、Ｉｕリンク手順を起動させることで実行されることを特徴とする請求項２に記載の方法。
【請求項７】
前記ＵＥがＲＲＣ接続である限り、前記ＲＮＣに付加されたＭＢＭＳ  ＵＥコンテキストは、前記ＲＮＣに保持されることを特徴とする請求項１に記載の方法。
【請求項８】
移動体通信システムのＲＮＣとＳＧＳＮの内の少なくともいずれかにあるコンピュータの内部メモリに直接ローディング可能なコンピュータプログラムであって、
請求項１乃至７のいずれかに記載の工程を実行するためのソフトウェアコードを有することを特徴とするコンピュータプログラム。
【請求項９】
コンピュータに使用可能な媒体に格納されたコンピュータプログラムであって、
移動体通信システムのＲＮＣとＳＧＳＮの内の少なくともいずれかにあるコンピュータが請求項１乃至７のいずれかに記載の工程を実行させることを特徴とする読出可能なコンピュータプログラム。 
【請求項１０】
ＳＧＳＮ（サービングＧＰＲＳサポートノード）に接続されたＲＮＣ（無線ネットワーク制御局）によって制御される、ＰＭＭアイドル状態にあり、そして、回線交換接続モードにあるＵＥ（ユーザ機器）に対してＭＢＭＳ（マルチメディア放送／マルチキャスト・サービス）を開始する移動体通信システムのＲＮＣにおける方法であって、
前記ＵＥが参加する一つ以上のＭＢＭＳセションに関し、前記ＲＮＣのＭＢＭＳ  ＵＥコンテキストを更新するために、前記ＵＥからメッセージを受信する工程とを有し、
関係するＭＢＭＳに対して前記ＲＮＣに保存されたＭＢＭＳサービスコンテキストが存在しなければ、前記方法はさらに、
前記ＳＧＳＮからＭＢＭＳサービスコンテキスト情報をフェッチする工程と、
前記ＲＮＣのアイデンティティを前記ＳＧＳＮに送信する工程と、
前記ＳＧＳＮからフェッチされた情報に基づいて、前記ＲＮＣの前記ＭＢＭＳ  ＵＥコンテキストと前記ＭＢＭＳサービスコンテキストとの内、少なくともいずれかを創成或は更新する工程を有し、
前記ＭＢＭＳサービスコンテキストが既に存在すれば、前記方法はさらに、
前記ＲＮＣの前記ＭＢＭＳサービスコンテキストを更新する工程を有することを特徴とする方法。
【請求項１１】
前記ＵＥがＲＲＣ接続である限り、前記ＲＮＣの創成或は更新されたＭＢＭＳ  ＵＥコンテキストは前記ＲＮＣに保持されることを特徴とする請求項１０に記載の方法。
【請求項１２】
Ｉｕｒにより個別の呼出を実行する工程と、
第２のＲＮＣに移動したＵＥを呼び出すために、Ｉｕｒリンクを実行する工程とをさらに有することを特徴とする請求項１０又は１１に記載の方法。
【請求項１３】
前記ＵＥが参加した一つ以上のセションに関して前記ＲＮＣのＭＢＭＳ  ＵＥコンテキストを更新するために前記ＵＥから前記ＲＮＣに送信されるメッセージは、新規情報フィールド／情報要素、または新規ＲＲＣ  ＰＤＵ／メッセージとして、無線資源制御（ＲＲＣ）接続要求メッセージで実施されることを特徴とする請求項１０乃至１２のいずれかに記載の方法。
【請求項１４】
前記ＲＮＣで前記メッセージを受信する時、ＰＭＭアイドル状態に前記ＵＥを維持する工程をさらに有することを特徴とする請求項１０に記載の方法。
【請求項１５】
移動体通信システムのＲＮＣ内のコンピュータの内部メモリに直接ローディング可能なコンピュータプログラムであって、
請求項１０乃至１４のいずれかに記載の工程を実行するためのソフトウェアコードを有することを特徴とするコンピュータプログラム。
【請求項１６】
コンピュータが使用可能な媒体に保存されたコンピュータプログラムであって、
移動体通信システムのＲＮＣ内のコンピュータが請求項１０〜１４のいずれかに記載の工程を実行させるようにすることを特徴とする読出可能なコンピュータプログラム。 
【請求項１７】
ＰＭＭアイドルモードのＵＥ（ユーザ機器）に対してＭＢＭＳ（マルチメディア放送／マルチキャスト・サービス）を開始する移動体通信システムのＲＮＣ（無線ネットワーク制御局）であって、前記モードはＳＧＳＮ（サービングＧＰＲＳサポートノード）に接続されたＲＮＣによって制御され、前記ＲＮＣは、
前記ＵＥが回線交換接続モードに移行したことを前記ＳＧＳＮに指示する手段と、 
前記ＳＧＳＮからＭＢＭＳ  ＵＥコンテキストを受信する手段と、
前記ＭＢＭＳに接続されたＵＥを制御することを前記ＲＮＣに気づかせるために、前記ＲＮＣに前記ＭＢＭＳ  ＵＥコンテキストを付加する手段とを有することを特徴とするＲＮＣ。
【請求項１８】
ＲＮＣ（無線ネットワーク制御局）によって制御されるＰＭＭアイドルモードのＵＥ（ユーザ機器）に対してＭＢＭＳ（マルチメディア放送／マルチキャスト・サービス）を開始する移動体通信システムのＳＧＳＮ（サービングＧＰＲＳサポートノード）であって、
前記ＲＮＣは前記ＳＧＳＮに接続され、
前記ＵＥが回線交換接続モードに移行したことを示す指示を受信する手段と、
前記ＵＥが一つ以上のセションに関し前記ＭＢＭＳを動作させたかどうかを前記ＳＧＳＮに保存されたＭＢＭＳコンテキスト情報を使ってチェックする手段と、
前記ＭＢＭＳに接続されたＵＥを制御することを前記ＲＮＣに気づかせるために、前記ＲＮＣにＭＢＭＳ  ＵＥコンテキストを付加するために、前記ＲＮＣにＭＢＭＳ  ＵＥコンテキストを提供する手段とを有することを特徴とするＳＧＳＮ。
【請求項１９】
前記指示する手段は、前記ＳＧＳＮにメッセージを送信する手段をさらに有することを特徴とする請求項１７に記載のＲＮＣ。
【請求項２０】
前記ＳＧＳＮで前記指示を受信する時、ＰＭＭアイドル状態に前記ＵＥを保持する手段をさらに有することを特徴とする請求項１７又は１８に記載のＲＮＣ又はＳＧＳＮ。
【請求項２１】
前記ＳＧＳＮで前記指示を受信する時、ＰＭＭ接続状態に前記ＵＥを移行させる手段をさらに有することを特徴とする請求項１７又は１８に記載のＲＮＣ又はＳＧＳＮ。 
【請求項２２】
前記提供する手段は、Ｉｕリンク要求メッセージを前記ＳＧＳＮから前記ＲＮＣに送信することにより、Ｉｕリンク処理を起動させることで実行されることを特徴とする請求項１８に記載のＳＧＳＮ。
【請求項２３】
前記ＵＥがＲＲＣ接続である限り、前記ＲＮＣに付加されたＭＢＭＳ  ＵＥコンテキストは、前記ＲＮＣに保持されることを特徴とする請求項１７に記載のＲＮＣ。
【請求項２４】
ＰＭＭアイドル状態にあり回線交換接続モードにあるＵＥ（ユーザ機器）に対してＭＢＭＳ（マルチメディア放送／マルチキャスト・サービス）を開始する移動体通信システムのＲＮＣ（無線ネットワーク制御局）であって、前記モードはＳＧＳＮ（サービングＧＰＲＳサポートノード）に接続された前記ＲＮＣによって制御され、前記ＲＮＣは、
前記ＵＥが参加する一つ以上のセションに関して前記ＲＮＣのＭＢＭＳ  ＵＥコンテキストを更新するために前記ＵＥからメッセージを受信する手段と、
関係したＭＢＭＳに対して前記ＲＮＣに確立されたＭＢＭＳサービスコンテキストが既に存在するかどうかをチェックする手段とを有し、
前記関係したＭＢＭＳに対して前記ＲＮＣに保存されたＭＢＭＳサービスコンテキストが存在しなければ、前記ＲＮＣはさらに、
前記ＳＧＳＮからＭＢＭＳサービスコンテキスト情報をフェッチする手段と、
前記ＲＮＣのアイデンティティを前記ＳＧＳＮに送信する手段と、
前記ＳＧＳＮからフェッチされた情報に基づいて前記ＲＮＣの前記ＭＢＭＳ  ＵＥコンテキストと前記ＭＢＭＳサービスコンテキストとの内少なくともいずれかを創成或は更新する手段とを有し、
前記ＭＢＭＳサービスコンテキストが既に存在すれば、前記ＲＮＣはさらに、
前記ＲＮＣのＭＢＭＳサービスコンテキストを更新する手段を有することを特徴とするＲＮＣ。 
【請求項２５】
前記ＵＥがＲＲＣ接続である限り、前記ＲＮＣの創成或は更新されたＭＢＭＳ  ＵＥコンテキストを前記ＲＮＣに保持する手段をさらに有することを特徴とする請求項２４に記載のＲＮＣ。
【請求項２６】
Ｉｕｒにより個別に呼出を実行する手段、或は、
第２のＲＮＣに移動したＵＥを呼出すために、Ｉｕｒリンクを実行する手段をさらに有することを特徴とする請求項２４又は２５に記載のＲＮＣ。
【請求項２７】
前記ＵＥが参加した一つ以上のセションに関して前記ＲＮＣのＭＢＭＳ  ＵＥコンテキストを更新するために前記ＵＥから前記ＲＮＣに送信されるメッセージは、新規情報フィールド／情報要素、または新規ＲＲＣ  ＰＤＵ／メッセージとして、無線資源制御（ＲＲＣ）接続要求メッセージで実施されることを特徴とする請求項２４乃至２６のいずれかに記載のＲＮＣ。
【請求項２８】
前記ＲＮＣへの前記メッセージを受信する時、ＰＭＭアイドル状態に前記ＵＥを維持する手段をさらに含むことを特徴とする請求項２４に記載のＲＮＣ。
【発明の詳細な説明】
【技術分野】
【０００１】
本発明は移動体通信システムに関する。特に、本発明は、第３世代移動体通信システムにおけるＭＢＭＳ（マルチメディア放送／マルチキャスト・サービス）を扱うための方法及び構成に関する。
【背景技術】
【０００２】
作業項目となっているマルチメディア放送／マルチキャスト・サービス（ＭＢＭＳ）は第３世代パートナーシッププロジェクト（３ＧＰＰ）内でリリース６のために現在標準化作業が行なわれている。そこでは、放送とマルチキャストモードという定義された２個の動作モードがある。本発明はマルチキャストモードに関する。
【０００３】
ＭＢＭＳは、例えば、一対多数でストリーミングまたはダウンロードサービスを提供するために使われる。即ち、各ユーザが個別にサービスを聴取する／ダウンロードする代りに、多数のユーザが同一送信を利用する。このようにして、同一サービスを共有するユーザの数が多い場合には、無線資源の利用を実質的に低減することが可能となる。これを考慮する時、ＭＢＭＳはおそらく、スポーツイベントの映像クリップ、天気情報または交通情報等のために使われることができるであろう。
【０００４】
ＭＢＭＳデータの伝送は、コアネットワーク（ＣＮ）のサービングＧＰＲＳサポートノード（ＳＧＳＮ）から、ＭＢＭＳに参加した移動体端末にサービスを行なう全てのＲＮＣ（無線ネットワーク制御局）に送信されたセション開始メッセージを使って、無線アクセスネットワーク（ＲＡＮ）で開始される。例えば、ＭＢＭＳに参加したＰＭＭアイドル状態にある移動体端末とも呼ばれるユーザ機器（ＵＥ）が存在するルーティング領域（ＲＡ）をＲＮＣがカバーするなら、そのＲＮＣはＭＢＭＳ移動体端末に参加したものと考えられる。また、他の例は、ＲＮＣが、ＭＢＭＳサービスに参加したＵＥに対してサービングＲＮＣ（Ｓ−ＲＮＣ）またはドリフトＲＮＣ（Ｄ−ＲＮＣ）として動作する場合である。
【０００５】
（Ｓ−ＲＮＣはＵＥと無線資源接続（ＲＲＣ）をもつＲＮＣであり、一方Ｄ−ＲＮＣはセルの一つを介して無線インタフェースでＵＥに接続されるＲＮＣであるが、ここでは、他のＲＮＣ、即ち、Ｓ−ＲＮＣがＵＥとのＲＲＣ接続を扱うＲＮＣである。ＵＥがＰＭＭ接続状態にある時、ＵＥはパケット交換（ＰＳ）領域にシグナルリング接続を有する。そして、ＵＥは対応するＳＧＳＮに直接的に入って行く直接伝逹メッセージを使って、コアネットワーク（ＣＮ）のＰＳ領域に向かってシグナルリングを実行することができる。ＵＥがＰＭＭアイドル状態にある時、ＵＥはパケット交換（ＰＳ）領域に何のシグナルリング接続ももたない。ＵＥは自分が移動したことをＳＧＳＮに通知するためにＲＡ（ルーティング領域）を変更する時、ルーティング領域更新を実行する）。
【０００６】
さらに、あるＭＢＭＳサービスに参加した各ＰＭＭ接続のＵＥは、ＲＮＣとＣＮとの間で発生する専用シグナルリングによってサービングＲＮＣのＭＢＭＳサービスコンテキストにリンクされる。なお、ＵＥとＲＡＮとの間のリンクが実行される前に、ＭＢＭＳサービスコンテキストは、ＵＥとＳＧＳＮの間で既にネゴシエーションがなされている。そのネゴシエーションは登録手順で実行されても良い。ＵＥに適用可能なＭＢＭＳサービスはＲＮＣと通信がなされる。この特定ＭＢＭＳサービスに対して以前の何のコンテキストも存在しなければ、そのＭＢＭＳサービスコンテキストはＲＮＣで創成される。
【０００７】
Ｉｕ上でリンクは、ＵＥがＭＢＭＳサービスに参加するＰＭＭ接続モードのＵＥ、またはＰＳ−無線アクセスベアラを設定したＭＢＭＳサービスに既に参加したＵＥに対して、実行される。このことは、ＲＲＣ接続及びＰＭＭ接続の移動体に対して、このＵＥのためにＭＢＭＳ  ＵＥコンテキストを保存したＳ−ＲＮＣが存在することを示唆する。
【０００８】
また、ＳＧＳＮは、ＰＭＭ接続され、ＵＥリンク手順を通じてあるＭＢＭＳサービスに参加した各ＵＥをＳ−ＲＮＣに通知することを担当する。即ち、ＳＧＳＮはＵＥが参加したＭＢＭＳサービスのリストとともに関係するＵＥのＩＭＳＩをＳ−ＲＮＣに送信する。
【０００９】
既存のシステムにおいては、ＰＭＭ接続されたＵＥだけがＳ−ＲＮＣに知られているので、Ｕｕインタフェース、即ち、無線インタフェースでメッセージセション開始に相応するメッセージを受信することができる。ＰＭＭアイドルのＵＥはＲＡＮに知られていないが、もしＵＥがＳＧＳＮによってＲＡで呼出されば、Ｕｕインタフェースでセション開始を受信することができる。全てのＵＥは、サービスが伝送される当該チャンネルに同調し聴取することができるように、ＭＢＭＳセションが開始される時を知る必要がある。セション開始メッセージはＣＮ、即ち、ＳＧＳＮからＲＮＣに送信され、全てのＵＥがどの状態にあるかに基づいてＲＮＣによって全てのＵＥは通知を受ける。
【００１０】
ＰＭＭ接続状態にあるＵＥは、ＭＢＭＳ固有の呼出、或は、ＭＢＭＳ通知のようなＵＥ固有のハンドリングを得る。ＭＢＭＳサービスがＭＢＭＳ制御チャネル（ＭＣＣＨ）で開始される時を監視するため、ＲＲＣアイドルモードにあるＵＥは特定の共通ＭＣＣＨを聴取する。ＰＭＭアイドルにあり、回線交換（ＣＳ）接続にあるＵＥが、例えば、進行中の音声／映像／データ呼を有する場合、Ｓ−ＲＮＣはＵＥがＭＢＭＳサービスに参加したことについての何の情報ももたないので、ＵＥは個別的に呼出されない。
【００１１】
しかしながら、制御を行なうＲＮＣ（Ｃ−ＲＮＣ）の役割において、Ｓ−ＲＮＣはアイドルＵＥに対していくつかの場合に呼出しを行なうかもしれない。これはＳ−ＲＮＣの一部であるＲＡでＭＢＭＳに参加したアイドルＵＥが存在する時に発生する。この場合、ＰＭＭアイドルにあるＵＥは放送方式で、Ｃ−ＲＮＣによって呼出される。しかし、（ＵＥの性能に依存して）専用通信（例えば、音声呼）に関与したＵＥは通常、ＭＢＭＳサービスが開始されているという指示を搬送する何らかの特定の共通ＭＢＭＳ制御チャンネルを聴取することはないだろう。このことは、ＰＭＭアイドルにありＲＲＣ接続であるＵＥが、セション開始の指示を受信することができないかもしれないことを示唆している。また、ＲＲＣ接続モードにおいて、ＵＥは、ＲＮＣがＵＥに対して多様なサービス開始（即ち、ＭＢＭＳだけではなく他の到来する音声呼等）を示すことに依存する。また、いくつかのＵＥはＰＭＭ接続されることができないし、同時に音声呼をもつこともできない。
【００１２】
上述のように、このことは、ＵＥがＰＭＭアイドルにあり、かつ、ＣＳ接続であるときに有効なだけである。なぜなら、ＵＥがＰＭＭアイドルにだけあり、ＣＳ接続或はＰＣ接続ではない時、ＵＥはＲＲＣアイドルにあるからである。ＲＲＣアイドル状態にあるＵＥは、特定の共通ＭＢＭＳ接続チャネル（ＭＣＣＨ）を聴取する。それで、この場合には、ＵＥはＭＢＭＳサービスの開始を逃す危険性はない。
【００１３】
上述の問題点をさらに例示するために次のシナリオについて説明する。普通のシナリオでは、ＵＥがＲＲＣアイドル状態にあり、放送情報を聴取し、即ち、そのＵＥは音声呼に関与しないし、また、積極的にウェブサーフィンダウンロードなどを実行していない。このことは、ＭＢＭＳサービスがＳＧＳＮからＲＮＣにセション開始メッセージを伝送することで開始される時、ＲＲＣアイドルにあるＵＥは、ＭＣＣＨで放送で共通制御チャンネルで送信された共通ＭＢＭＳ制御メッセージを聴取し、それ故に、そのＵＥがＭＢＭＳセションが開始されたことに気づくことを意味する。呼に積極的に関与したＵＥに対して、ＲＮＣは、ＰＭＭ接続されたＵＥに対するＵＥリンクによって、これらのＵＥもＭＢＭＳセション開始の指示を要求していることを知る。もし、ＵＥが共通ＭＢＭＳ制御チャンネルメッセージを受信することを許さないチャンネルをそのＵＥが聴取すれば、ＲＮＣはＵＥ毎に（即ち、専用モードで）セション開始の示唆を送信する。
【００１４】
しかしながら、ＣＳ呼（例えば、音声会話）に関与したＵＥに対して、たとえＵＥがＭＢＭＳセションの受信を希望したとしても、これらがＰＭＭ接続ではない時に事態が発生するかもしれず、このようなＵＥに対して、ＲＮＣはＵＥ毎にセション開始の示唆を送信することが要求されるかもしれないことに気が付かない。
【００１５】
次に、上述の問題に対する既存の解決方法について検討する。
【００１６】
既存の第１の解決方法では、ＵＥがＰＭＭアイドルにある間にそのＵＥがＲＲＣ接続に移行する時、ＵＥはＭＢＭＳ参加サービス指示（ＭＢＭＳ  ＪＯＩＮＥＤ  ＳＥＲＶＩＣＥ  ＩＮＤＩＣＡＴＩＯＮ）メッセージをＳ−ＲＮＣに送信する。このメッセージは、ＵＥがＲＲＣ接続、即ち、ＣＳ接続されており、ＰＭＭアイドルにある（例えば、音声呼を実行中）限り、ＵＥが参加しＲＮＣに保存されているＭＢＭＳサービスのリストを含む。既存の第１の解決方法に関しては、セション開始指示がそのＲＮＣに対するＣＮから利用可能となるように備えがなされるが、以下に説明する解決方法ではそのようなセション開始指示を要求しない。セション開始指示はＣＮから担当ＳＧＳＮに送信される。ＳＧＳＮはＭＢＭＳサービスコンテキストに依存して一つまたは多数のＩｕ接続によりセション開始指示を配信する。登録／ルーティング領域更新はセション開始の時に送信され、これらは選択されたアーキテクチュアに依存してセションの間にコアネットワークから送信される。しかしながら、本発明における仮定は、新しいＭＢＭＳのＵＥをそのセションに気づかせるために、ＲＡＮがセション中に周期的にセション開始をスケジュールリングすることを担当すべきである点にある。そのセション中にＲＡ更新を実行するアイドル中のＵＥに関し、新規ＲＡについての情報をＲＡＮに提供することはＳＧＳＮの担当である。セション開始は、例えば、セションＩｄに対する情報、または、ＩＭＳＩ、または、ＭＢＭＳサービスコンテキストを更新するために必要な情報を含む。その解決方法はさらに非特許文献１に記載されている。
【００１７】
既存の第２の解決方法は、ＭＢＭＳサービスに参加した全てのＵＥは、もしこれらが何らかの理由でＲＲＣ接続に移行すれば、ＰＭＭ接続に入るように要求されることである。これを要求することで、例えば、音声呼を実行しているＵＥはＰＭＭ接続になるであろうし、通常の方法でリンクされ、従って、Ｓ−ＲＮＣはＵＥがＭＢＭＳサービスに参加したことに気づくであろう。ＵＥがリンクされたことは、ＳＧＳＮとＲＮＣの間のこれらのＵＥに対してＵＥリンクが実行されたということを示唆する。
【００１８】
また、他の解決方法、つまり、第３の解決方法は、ＳＧＳＮがＲＮＣにセション開始メッセージを送信する時、ＭＢＭＳサービスに参加し、ＰＭＭアイドルにあり、そのＲＮＣに属したセルを有するルーティング領域（ＲＡ）にあるＵＥの全てのアイデンティティを含むことである。その時、ＲＮＣがＲＲＣ接続されＰＭＭアイドルにある全てのＵＥを識別するアクティブＲＲＣコンテキストを有する全てのアイデンティティに対してこれらのＵＥアイデンティティをチェックすることができる。そして、ＲＮＣはＰＭＭアイドルであり、ＲＲＣ接続である全てのＵＥに対して、ＭＢＭＳ伝送が開始することを示す専用指示を送信する。
【００１９】
第４の解決方法は、ＳＧＳＮがセション開始指示をＲＮＣに送信する時、ＭＢＭＳサービスに参加し、ＰＭＭアイドル状態にあり、そのＲＮＣに属したセルを有するＲＡにあるＵＥの全てのアイデンティティを含む点で、第３の解決方法と類似する。そして、ＲＮＣがＲＲＣ接続されＰＭＭアイドルにある全てのＵＥを識別するアクティブＲＲＣコンテキストを有する全てのアイデンティティに対してこれらのＵＥアイデンティティをチェックすることができる。しかしながら、その代わり（第３の解決方法と比べて）、ＲＮＣはＳＧＳＮが前述のＵＥリンクを開始するようにするＰＭＭ接続（ＰＭＭ−ＣＯＮＮＥＣＴＥＤ）にＵＥを強制的に移行させるＭＢＭＳ  ＰＭＭ接続状態の要求指示（ＭＢＭＳ  ＰＭＭ−ＣＯＮＮＥＣＴＥＤ  ＳＴＡＴＥ  ＲＥＱＵＩＲＥＤ  ＩＮＤ）メッセージを送信する。これはまた、始めからＰＭＭ接続（ＰＭＭ−ＣＯＮＮＥＣＴＥＤ）であったＵＥに対して類似の方法で、ＭＢＭＳ伝送が開始されていることについての示唆をＵＥが受信するという結果になる。
【非特許文献１】技術仕様３ＧＰＰ  ＴＳ  ２５．３４６  ｖ２．４．０，「無線アクセスネットワーク（ステージ２）におけるマルチメディア放送／マルチキャスト・サービス（ＭＢＭＳ）の導入」、リリース６
【発明の開示】
【発明が解決しようとする課題】
【００２０】
第１の解決方法での問題点は、ＲＮＣがＣＮからの開始指示を要求する点である。第１の解決方法において、何のシグナルリングもＲＮＣからＳＧＳＮに実行されないので、ＳＧＳＮはＵＥがＭＢＭＳに参加したことに気づかないが、他のＵＥがそのＭＢＭＳに参加した時、ＳＧＳＮはＭＢＭＳ  ＵＥの呼出の契機を作り出す開始指示を送信する。しかしながら、ＲＮＣがＣＮからの開始指示を受信しない場合がある。このような一つの状況は、ＰＭＭ接続され（即ち、ＵＥはリンクされていない）或はこのＲＮＣにおいてＲＡにおけるルーティング領域更新を行なったＲＮＣ配下に他のＵＥが存在しないなら、たとえＲＮＣがＵＥがＭＢＭＳサービスを受信するのを願っていることのＵＥからの直接の指示をもっていたとしても、ＳＧＳＮがそのＲＮＣに開始指示を送信する理由がない。また、他の問題点は、新規ＲＲＣメッセージまたはＵｕ手順が要求されることである。新規Ｕｕ手順は無線インタフェースでのより多いシグナルリングを意味し、それ故に無線資源の不必要な使用を示唆する。なお、他の解決方法は、開始指示を送信するためにＳＧＳＮに情報を送るための手段を含むことにも注目すべきである。従って、全ての解決方法はＳＧＳＮからメッセージセション開始を伝送するための手段を含む。
【００２１】
第２の解決方法での問題点は、増加した数のＰＭＭ接続状態がＳＧＳＮによって扱われなければならない点である。セットアップされた各ＣＳ接続は、ＰＳ領域ではコンテキスト処理を必要とする。これは、ＣＮでの付加的な負荷を生じさせる結果となる。
【００２２】
第２の解決方法での更なる問題点は、付加的な認証／機密保護がＳＧＳＮで実行される必要があるという点である。
【００２３】
第３の解決方法での問題点は、セション開始が受信された時、処理が開始されるので、全てのシグナルリングが完了するまで多少の時間を要するから、多少の潜在的な遅延を生じさせる結果となるかもしれない点である。
【００２４】
第３の解決方法での更なる問題点は、いつもＵＥがＰＭＭ接続に移行することが必要であり、このことは付加的なシグナルリング、即ち、無線インタフェースと、ＳＧＳＮとＲＮＣとの間のインタフェースでの負荷が増加することを意味している。この解決方法には、ＰＭＭ接続への移行がしばしば、Ｉｕ及びＵｕシグナルリングを生じさせる結果となるＵＥの認証を必要とするという欠点がある。
【００２５】
また、第３及び第４の解決方法での問題点には、セション開始メッセージのＵＥのアイデンティティを有するリストと、アクティブＲＲＣ接続を有するＲＮＣに既に保存されたＵＥのアイデンティティのリストとの相互チェックを実行するＲＮＣに高い処理負荷がかかるであろうという点がある。時間的にこの手順を分散させるのではなく、同時に全てのＵＥがリンクを実行することが必要なので、ＳＧＳＮでの負荷は瞬間的に高いことがあるかもしれない。加えて、サービスが開始され、ＲＮＣが潜在的にＭＢＭＳ  ＵＥのカウンティングを実行することが必要な時、そのピーク負荷は瞬間的に衝突する。これらの全ての手順は無線インタフェース輻輳を引き起こす結果となるかもしれないＵｕシグナルリングを含む。更なる問題点は、第４の解決方法が複雑で、Ｕｕ手順とＭＭ手順の両方を必要とする点にある。
【００２６】
発明の要約
上述のように、Ｓ−ＲＮＣはＵＥがＭＢＭＳに参加しているかどうかについての情報をもたないので、ＵＥがＰＭＭアイドルであり、同時にＣＳ接続である時、ＭＢＭＳを開始することは問題がある。従って、ＵＥはＭＢＭＳを開始するための潜在的な指示の放送を聴取することはないであろう。
【００２７】
従って、本発明の目的は上述の欠点をもたず、上記の問題を解決する方法及び構成を提供することである。
【課題を解決するための手段】
【００２８】
この問題は請求項１、２、１０に記載の方法、及び、請求項８、９、１５〜１８、及び２４に記載の構成によって解決される。
【００２９】
本発明の実施例は従属項によって定義される。
【００３０】
本発明での利点は、ＭＢＭＳリンク手順の重複がないことである。ＵＥとＲＮＣとの間の無線インタフェースに対して何の余分のリンクも要求されない。従って、ＳＧＳＮとＲＮＣとの間のＩｕインタフェースでのリンクだけが要求される。
【００３１】
本発明に従う更なる利点は、ＲＲＣ接続され、ＰＭＭアイドルにあり、時間的に拡がった複数のＵＥに対して、ＵＥアイデンティティのリンクと手順とを実行する、コンテキスト創成に関係するＲＮＣとＳＧＳＮの負荷である。従って、無線インタフェースでの負荷は時間的に分散され、輻輳に対する危険性を減少させる。
【００３２】
本発明における更なる利点は、ノードでの処理が減少することである。
【発明を実施するための最良の形態】
【００３３】
以下、添付図面を参照して、本発明についてより完全に説明する。そこでは、本発明の好適な実施例が示されている。しかしながら、本発明は、多くの他の形態で実施することができるので、ここに説明される実施例に限定されると解釈されるべきではない。むしろ、これらの実施例は、この開示を完全で徹底的にし、当業者に本発明の範囲を伝えるため提供される。図面において、同一の符号は同一の構成要素に言及する。
【００３４】
本発明は、図１に示されているように、第３世代の移動体通信システムにおいて実施される。図１は、少なくとも一つのサービングＧＰＲＳサポートノード（ＳＧＳＮ）１０４に接続された少なくとも一つのゲートウェイＧＰＲＳサポートノード（ＧＧＳＮ）１０２を有する第１のコアネットワーク（ＣＮ）１２０を備えた移動体通信システムを示している。第１のＣＮ１２０はＰＳＴＮや他の移動体ネットワークのような他のネットワーク１３０、１４０にＧＧＳＮ１０２によって接続可能である。ＳＧＳＮ１０４は、複数の無線ネットワークサブシステム（ＲＮＳ）１１４にＩｕインタフェースを介して接続可能である。各ＲＮＳ１１４はＲＮＣ（無線ネットワーク制御局）１０６と、Ｉｕｒインタフェースを介してＲＮＣ１０６に接続された基地局（ＢＳ）１０８として言及される少なくとも一つのノードＢを有する。複数のＲＮＣは、これらに接続された複数のノードＢ１０８を制御し、複数のノードＢ１０８は各ノードＢ１０８のカバレッジに位置している移動体端末１１０として言及される複数のＵＥと、Ｕｕインタフェースにより無線通信を行なう手段を備える。
【００３５】
本発明の第１の実施例の基本的概念は、既存の解決方法で示されたようにＳ−ＲＮＣとＵＥとの間のＵＥリンクと類似の手順を実行する代りに、ＭＢＭＳ  ＵＥがＰＭＭアイドル状態であり、ＣＳ接続である時、Ｓ−ＲＮＣがＭＢＭＳ  ＵＥに気づくようにするための手順が、ＳＧＳＮとＳ−ＲＮＣとの間だけで、即ち、Ｉｕインタフェースにより実行される点にある。
【００３６】
従って、ＵＥがＭＢＭＳサービスに参加しＰＭＭアイドル状態にある状況において、ＭＢＭＳサービスに参加したＵＥの情報はＳ−ＲＮＣに現在のところ知られていない。結果的に、ＰＭＭアイドル状態にあるＵＥが、ＣＳ接続のためにＲＲＣ接続状態に移行する場合、Ｓ−ＲＮＣはＳＧＳＮからセション開始（ＳＥＳＳＩＯＮ  ＳＴＡＲＴ）メッセージを受信する時、このようなＵＥに注意していることができない。
【００３７】
本発明の第１の実施例に従えば、この問題に対する解決方法は、ＭＢＭＳサービスに参加したＵＥの情報を、Ｓ−ＲＮＣ自体がＳＧＳＮからこの情報をフェッチするように規定することによって、そのＳ−ＲＮＣに提供することである。
【００３８】
図２は本発明の第１の実施例に従う手順を概略的に示す図である。図２はＣＳ音声設定でＲＮＣがＩｕリンクを開始したことを示す。ＵＥはＲＲＣ接続され、ＰＭＭアイドル状態にある。ＵＥがＣＳ接続をセットアップし、ＲＲＣ接続に入り、ＰＭＭアイドル状態にある時、Ｓ−ＲＮＣはＲＡＮＡＰ  ＲＲＣ接続指示メッセージ（１）として示される無接続メッセージをＳＧＳＮに送信する。メッセージ（１）はＵＥがＲＲＣ接続に移行したことを示す。そして、ＳＧＳＮはＳＧＳＮに保存されたＭＢＭＳコンテキスト情報でチェック（２）を行い、もしＵＥが一つ以上のセションについてＭＢＭＳを起動させたなら、ＳＧＳＮはＩｕリンク要求メッセージとして示されるメッセージをＳ−ＲＮＣに送信することにより、Ｉｕリンク手順（３）として示される手順を起動させる。もしＵＥが起動された何のＭＢＭＳを有しなければ、Ｉｕリンク手順は実行されない。
【００３９】
そして、Ｓ−ＲＮＣはＭＢＭＳ  ＵＥコンテキスト（４）を創成し、ＵＥがＲＲＣ接続である限り、ＵＥに対するＵＥ固有のＭＢＭＳコンテキスト情報を保持し続ける。従って、Ｓ−ＲＮＣは、今や、前記ＵＥがＭＢＭＳサービスに参加したことに気づく。ＭＢＭＳサービスに参加したＵＥは、ＲＮＣを介してＳＧＳＮから送信されたセション開始メッセージにより、ＭＢＭＳ放送チャンネルを聴取するように要求されていることが通知される。Ｓ−ＲＮＣはＵＥ状態に依存して、個別及び共通呼出で、ＭＢＭＳ  ＵＥコンテキストに従って呼出を行なう。
【００４０】
明瞭にするために、ＭＢＭＳサービスコンテキストは、サービスｉｄ、サービス品質（ＱｏＳ）パラメータ等のような特定のＭＢＭＳサービスと関係のあるＲＮＣで創成されたコンテキストである。
【００４１】
本発明の実施例によれば、ＲＡＮＡＰ接続指示メッセージとして示されるメッセージの受信時、ＵＥ状態をどのように扱うかについて二つの異なるアプローチがある。本発明の一つの実施例によれば、ＵＥは強制的にＰＭＭ接続となるかもしれず、或は、更なる実施例によれば、ＵＥはＰＭＭアイドルに留まらなければならない。現在のところ、ＴＳ２５．３４５はただ、ＰＭＭ接続モードのＵＥのＩｕリンクのみを許している。ＵＥを強制的にＰＭＭ接続にすることは、ＵＥに対する付加的なＵｕシグナルリングを要する。
【００４２】
従って、第１の実施例による上述した解決方法は、Ｓ−ＲＮＣはＰＭＭアイドル状態にあるＵＥがＲＲＣ接続を確立する毎に、参加した（ジョイン）ＭＢＭＳサービスについての情報をフェッチする手段を有することを示唆している。
【００４３】
図３は本発明の第２の実施例に従う手順を概略的に示す図である。図３はＣＳ音声設定の時、ＵＥがＩｕリンクを開始したことを示す。ＵＥはＰＭＭアイドル状態にあり、ＲＲＣ接続されている。ＰＭＭアイドル状態にあるＵＥは、ＣＳ音声またはＣＳデータ接続がセットアップされる時、ＲＲＣアイドル状態からＲＲＣ接続への状態遷移を実行する。ＵＥがＲＲＣ接続モードでかつＰＭＭアイドル状態に入る時、ＵＥが参加した一つ以上のセションに関してＳ−ＲＮＣにおけるＭＢＭＳ  ＵＥコンテキストを更新するために、ＵＥジョイン（１）として示されるメッセージをＳ−ＲＮＣに送信する。ＵＥジョインのメッセージは参加したＭＢＭＳについてＳ−ＲＮＣに通知する。ＵＥジョインとして示されるメッセージの受信時、Ｓ−ＲＮＣは、関係するＭＢＭＳについてＳ−ＲＮＣにおいて確立されたＭＢＭＳサービスコンテキストが既に存在するかどうかをチェックする。関係するＭＢＭＳについてＳ−ＲＮＣに格納されたＭＢＭＳサービスコンテキストが存在しなければ、そのＳ−ＲＮＣは、ＳＧＳＮからＭＢＭＳサービスコンテキスト情報をフェッチし、また、ＲＮＣのアイデンティティをＳＧＳＮに送信するために、メッセージをＳＧＳＮに送信することにより、ＲＡＮＡＰ  ＲＮＣ登録手順（３）として示される登録手順を開始する。そして、Ｓ−ＲＮＣは、ＳＧＳＮからＳ−ＲＮＣに送信されたメッセージの応答（４）に基づいて、ＭＢＭＳサービスコンテキストを創成し、Ｓ−ＲＮＣにおけるＭＢＭＳサービスコンテキストにＭＢＭＳ  ＵＥコンテキストをリンクする。この応答は、セションアイデンティティのリストを有しているかもしれない。ＭＢＭＳサービスコンテキストが既に存在する場合には、Ｓ−ＲＮＣはＭＢＭＳ  ＵＥコンテキストを創成するだけであり、ＭＢＭＳ  ＵＥコンテキストが既に存在する場合には、Ｓ−ＲＮＣはＭＢＭＳサービスコンテキストを創成するのみである。なお、ＭＢＭＳ  ＵＥコンテキストとＭＢＭＳサービスコンテキストとの内の少なくともいずれかの創成は、セルの最初のＭＢＭＳ  ＵＥに対してのみ実行される。セルの次のＭＢＭＳ  ＵＥに対してはＭＢＭＳ  ＵＥコンテキストとＭＢＭＳサービスコンテキストとの内の少なくともいずれかの更新が実行される。
【００４４】
Ｓ−ＲＮＣがＳＧＳＮからセション開始指示を受信すれば、ＭＢＭＳのセション開始をＵＥに通知するため、ＵＥからＳ−ＲＮＣへのメッセージで受信された情報に基づいて、Ｓ−ＲＮＣは個別的にＭＢＭＳ  ＵＥを呼出すことができる。この呼出は、ＭＢＭＳ伝送のためにどの物理的及び論理的チャンネルが用いられるべきであるかについてのＵＥに対する情報を含む。
【００４５】
この解決方法に関係する暗示的な登録はない。即ち、ＵＥはＣＳ呼の間にＰＭＭアイドル状態に留まる。ＲＡＮＡＰ  ＲＮＣ登録メッセージとして示されるメッセージの目的は、ＭＢＭＳセション開始メッセージの配信のためにＳＧＳＮにＲＮＣアイデンティティを提供することである。本発明に従うＳ−ＲＮＣにおけるＭＢＭＳ  ＵＥコンテキストの創成は重要であり、ＵＥがＲＲＣ接続状態にある限り、ＭＢＭＳ  ＵＥコンテキストは保持される。無線ネットワークにおける移動性のため、ＣＳ呼の間に、他のＲＮＣにＵＥが移動するかもしれない。この場合、ＭＢＭＳセションがＣＳ呼の間に開始されれば、ＵＥは専用チャンネルで呼出される必要がある。このことは、Ｉｕｒによる個別呼出により、或はＩｕｒリンクによって達成される。ＩｕｒリンクはＩｕリンクと類似の処理であるが、開始指示がＩｕインタフェースで受信され、このＵＥに対して確立されたＩｕｒが存在する場合には、Ｉｕｒを介したものとなる。この新規ＵＥジョインの指示は新規情報フィールド／情報要素、または新規ＲＲＣ  ＰＤＵ／メッセージとして、ＲＲＣ接続要求で実施される。従って、新規ＲＲＣメッセージが創成される場合にだけ、新規メッセージは創成される。そうでなければ、既存のメッセージを再利用することが可能である。
【００４６】
本発明に従う第２の実施例での利点は、そのセションについてのＭＢＭＳサービスコンテキストが存在しない時に遂行されるのは明示的な登録、即ち、ＲＡＮＡＰ  ＲＮＣ登録処理（３）として示される登録手順である。従って、上述した既存の第１の解決方法の問題点が回避される。
【００４７】
なお、本発明の第１及び第２の実施例に従う解決方法において、好適な実施例では、ＵＥはＣＳ接続中はＰＭＭアイドル状態に留まり、従って、Ｓ−ＲＮＣ  ＭＢＭＳコンテキストだけが更新される。
【００４８】
要約すれば、ＳＧＳＮに接続されたＲＮＣによって制御されるＰＭＭアイドルモードのＵＥに対して、ＭＢＭＳを開始する、図４に図示された第１の実施例に従うＲＮＣ及びＳＧＳＮにおいて実行される方法は、次のステップを有する。
【００４９】
即ち、
４０１．ＵＥが回線交換接続モードに移行したことをＳＧＳＮに示すステップと、
４０２．ＵＥが一つ以上のセションについてＭＢＭＳを起動させたかどうかを、
ＳＧＳＮに保存されたＭＢＭＳコンテキスト情報を使って
チェックするステップと、
４０３．ＲＮＣにＳＧＳＮからのＭＢＭＳ  ＵＥコンテキストを提供するステップと、
４０４．ＭＢＭＳに接続されたＵＥを制御することをＲＮＣに気づかせるために、
ＲＮＣにＭＢＭＳ  ＵＥコンテキストを付加するステップとを有する。
【００５０】
従って、本発明の第１の実施例に従うＲＮＣは、ＵＥが回線交換接続モードに移行したことをＳＧＳＮに示する手段と、ＳＧＳＮからＭＢＭＳ  ＵＥコンテキストを受信する手段と、ＭＢＭＳに接続されたＵＥを制御することをＲＮＣに気づかせるために、ＲＮＣにＭＢＭＳ  ＵＥコンテキストを付加する手段とを有する。
【００５１】
さらにその上、本発明の第１の実施例に従うＳＧＳＮは、ＵＥが回線交換接続モードに移行したことを示す指示を受信する手段と、ＵＥが一つ以上のセションについてＭＢＭＳを起動させたかをＳＧＳＮに保存されたＭＢＭＳコンテキスト情報を使ってチェックする手段と、ＭＢＭＳに接続されたＵＥを制御することをＲＮＣに気づかせるためにＲＮＣにＭＢＭＳ  ＵＥコンテキストを付加するため、ＲＮＣにＭＢＭＳ  ＵＥコンテキストを提供する手段とを含む。
【００５２】
その上、ＳＧＳＮに接続されたＲＮＣによって制御されるＰＭＭアイドルモードにあるＵＥに対して、ＭＢＭＳを開始する図５に図示された第２の実施例に従うＲＮＣにおける方法は、次のステップを有する。
【００５３】
即ち、
５０１．ＵＥが参加する一つ以上のセションについて、ＲＮＣのＭＢＭＳ  ＵＥコンテキストを更新するためにＵＥからＲＮＣへのメッセージを受信するステップと、
５０２．関係したＭＢＭＳについてＲＮＣに確立されたＭＢＭＳサービスコンテキスト
が既に存在するのかどうかをチェックするステップとを有する。
【００５４】
もし、関係したＭＢＭＳについてＲＮＣに保存されたＭＢＭＳサービスコンテキストが存在しなければ、この方法はさらに次のステップを有する。
【００５５】
即ち、
５０３．ＳＧＳＮからＭＢＭＳサービスコンテキスト情報をフェッチするステップと、
５０４．ＲＮＣのアイデンティティをＳＧＳＮに送信するステップと、
５０５．ＳＧＳＮからフェッチされた情報に基づいて、ＲＮＣにおける
ＭＢＭＳ  ＵＥコンテキストとＭＢＭＳサービスコンテキストとの内、
少なくともいずれかを創成或は更新するステップとをさらに有する。
【００５６】
これに対して、ＭＢＭＳサービスコンテキストが既に存在すれば、この方法はさらに次のステップを有する。
【００５７】
即ち、
５０６．ＲＮＣにおけるＭＢＭＳサービスコンテキストを更新するステップをさらに有する。
【００５８】
従って、本発明の第２の実施例に従うＲＮＣは、ＵＥが参加する一つ以上のセションについてＲＮＣにおけるＭＢＭＳ  ＵＥコンテキストを更新するため、ＵＥからメッセージを受信する手段と、関係するＭＢＭＳについて前記ＲＮＣで確立されたＭＢＭＳサービスコンテキストが既に存在するかどうかをチェックする手段とを有する。
【００５９】
もし、関係するＭＢＭＳについてＲＮＣに格納されたＭＢＭＳサービスコンテキストが存在しなければ、ＲＮＣはさらに、ＳＧＳＮからＭＢＭＳサービスコンテキスト情報をフェッチする手段を有する。ここで、前記手段は、ＲＮＣのアイデンティティをＳＧＳＮに送信し、ＳＧＳＮからフェッチされた情報に基づいてＲＮＣにおけるＭＢＭＳ  ＵＥコンテキストとＭＢＭＳサービスコンテキストとの内、少なくともいずれかを創成或は更新する手段を有する。これに対して、ＭＢＭＳサービスコンテキストが既に存在すれば、ＲＮＣは、ＲＮＣにおけるＭＢＭＳサービスコンテキストを更新する手段を有する。
【００６０】
上記の方法はコンピュータプログラムによって実行される。コンピュータプログラムは、無線ネットワーク制御局内と、コアネットワークと、移動体通信システムのＵＥとの内、少なくともいずれかのコンピュータの内部メモリに直接ローディング可能であり、前記方法のステップを実行するソフトウェアコードを有している。さらにその上、コンピュータプログラムはコンピュータに使用可能な媒体に格納され、無線ネットワーク制御局内と、コアネットワークと、移動体通信システムのＵＥとの内、少なくともいずれかのコンピュータが、前記方法のステップの実行を制御するようにさせる読出し可能なプログラムを有している。
【００６１】
なお、本発明に従う方法及び構成は、プッシュ−トウ−トーク（ＰＴＴ）、ＣＢＳ（セル放送サービス：Cell Broadcast Service）、及びボイスグループコール（Voice Group Call）のような他のサービスにも適用可能である。しかしながら、そのメッセージは当業者には自明な少しの変更を要するかもしれない。
【００６２】
図面及び詳細な説明において、本発明の典型的で好適な実施例が開示された。具体的な用語が採用されているが、これらは一般的かつ例示的な意味においてのみ用いられているのであり、限定する目的ではない。本発明の範囲は添付の請求の範囲により説明される。
【図面の簡単な説明】
【００６３】
【図１】本発明が実施される第３世代の移動体通信システムを示す図である。
【図２】本発明の第１実施例に従う手順を概略的に示す図である。
【図３】本発明の第２実施例に従う手順を概略的に示す図である。
【図４】本発明の第１実施例に従う方法を示すフローチャートである。
【図５】本発明の第２実施例に従う方法を示すフローチャートである。
【図１】
2007518348.tif 000003
【図２】
2007518348.tif 000004
【図３】
2007518348.tif 000005
【図４】
2007518348.tif 000006
【図５】
2007518348.tif 000007
【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
ＳＧＳＮ（サービングＧＰＲＳサポートノード）に接続されたＲＮＣ（無線ネットワーク制御局）によって制御されるＰＭＭアイドルモードにおけるＵＥ（ユーザ機器）に対してＭＢＭＳ（マルチメディア放送／マルチキャスト・サービス）を開始する移動体通信システムのＲＮＣにおける方法であって、
（ａ）前記ＵＥが回線交換接続モードに移行したことを前記ＳＧＳＮに指示する工程と、
（ｂ）前記ＳＧＳＮからＭＢＭＳ  ＵＥコンテキストを受信する工程と、
（ｃ）前記ＭＢＭＳに接続されたＵＥを制御することを前記ＲＮＣに気づかせるために前記ＲＮＣにＭＢＭＳ  ＵＥコンテキストを付加する工程とを有することを特徴とする方法。
【請求項２】
ＳＧＳＮ（サービングＧＰＲＳサポートノード）に接続されたＲＮＣ（無線ネットワーク制御局）によって制御されるＰＭＭアイドルモードにおけるＵＥ（ユーザ機器）に対してＭＢＭＳ（マルチメディア放送／マルチキャスト・サービス）を開始する移動体通信システムのＳＧＳＮにおける方法であって、
（ａ）前記ＵＥが回線交換接続モードに移行したこと示す指示を受信する工程と、
（ｂ）前記ＵＥが一つ以上のセションについて前記ＭＢＭＳを動作させたかどうかを、前記ＳＧＳＮに保存されたＭＢＭＳコンテキスト情報でチェックする工程と、
（ｃ）前記ＭＢＭＳに接続されたＵＥを制御することを前記ＲＮＣに気づかせるために前記ＲＮＣにＭＢＭＳ  ＵＥコンテキストを付加するために、前記ＲＮＣに前記ＭＢＭＳ  ＵＥコンテキストを提供する工程とを有することを特徴とする方法。 
【請求項３】
前記指示する工程は、前記ＲＮＣから前記ＳＧＳＮにメッセージを送信することにより実行されることを特徴とする請求項１に記載の方法。
【請求項４】
前記ＳＧＳＮにおいて前記指示を受信する時、ＰＭＭアイドル状態に前記ＵＥを維持する工程をさらに有することを特徴とする請求項１又は２に記載の方法。  
【請求項５】
前記ＳＧＳＮにおいて前記指示を受信する時、ＰＭＭ接続状態に前記ＵＥを移行させる工程をさらに有することを特徴とする請求項１又は２に記載の方法。
【請求項６】
前記提供する工程は、Ｉｕリンク要求メッセージを前記ＳＧＳＮから前記ＲＮＣに送信することにより、Ｉｕリンク手順を起動させることで実行されることを特徴とする請求項２に記載の方法。
【請求項７】
前記ＵＥがＲＲＣ接続である限り、前記ＲＮＣに付加されたＭＢＭＳ  ＵＥコンテキストは、前記ＲＮＣに保持されることを特徴とする請求項１に記載の方法。
【請求項８】
移動体通信システムのＲＮＣとＳＧＳＮの内の少なくともいずれかにあるコンピュータの内部メモリに直接ローディング可能なコンピュータプログラムであって、
請求項１乃至７のいずれかに記載の工程を実行するためのソフトウェアコードを有することを特徴とするコンピュータプログラム。
【請求項９】
コンピュータに使用可能な媒体に格納されたコンピュータプログラムであって、
移動体通信システムのＲＮＣとＳＧＳＮの内の少なくともいずれかにあるコンピュータが請求項１乃至７のいずれかに記載の工程を実行させることを特徴とする読出可能なコンピュータプログラム。 
【請求項１０】
ＳＧＳＮ（サービングＧＰＲＳサポートノード）に接続されたＲＮＣ（無線ネットワーク制御局）によって制御される、ＰＭＭアイドル状態にあり、そして、回線交換接続モードにあるＵＥ（ユーザ機器）に対してＭＢＭＳ（マルチメディア放送／マルチキャスト・サービス）を開始する移動体通信システムのＲＮＣにおける方法であって、
前記ＵＥが参加する一つ以上のＭＢＭＳセションに関し、前記ＲＮＣのＭＢＭＳ  ＵＥコンテキストを更新するために、前記ＵＥからメッセージを受信する工程を有し、
関係するＭＢＭＳに対して前記ＲＮＣに保存されたＭＢＭＳサービスコンテキストが存在しなければ、前記方法はさらに、
前記ＳＧＳＮからＭＢＭＳサービスコンテキスト情報をフェッチする工程と、
前記ＲＮＣのアイデンティティを前記ＳＧＳＮに送信する工程と、
前記ＳＧＳＮからフェッチされた情報に基づいて、前記ＲＮＣの前記ＭＢＭＳ  ＵＥコンテキストと前記ＭＢＭＳサービスコンテキストとの内、少なくともいずれかを創成或は更新する工程とを有し、
前記ＭＢＭＳサービスコンテキストが既に存在すれば、前記方法はさらに、
前記ＲＮＣの前記ＭＢＭＳサービスコンテキストを更新する工程を有することを特徴とする方法。
【請求項１１】
前記ＵＥがＲＲＣ接続である限り、前記ＲＮＣの創成或は更新されたＭＢＭＳ  ＵＥコンテキストは前記ＲＮＣに保持されることを特徴とする請求項１０に記載の方法。
【請求項１２】
Ｉｕｒにより個別の呼出を実行する工程と、
第２のＲＮＣに移動したＵＥを呼び出すために、Ｉｕｒリンクを実行する工程とをさらに有することを特徴とする請求項１０又は１１に記載の方法。
【請求項１３】
前記ＵＥが参加した一つ以上のセションに関して前記ＲＮＣのＭＢＭＳ  ＵＥコンテキストを更新するために前記ＵＥから前記ＲＮＣに送信されるメッセージは、新規情報フィールド／情報要素、または新規ＲＲＣ  ＰＤＵ／メッセージとして、無線資源制御（ＲＲＣ）接続要求メッセージで実施されることを特徴とする請求項１０乃至１２のいずれかに記載の方法。
【請求項１４】
前記ＲＮＣで前記メッセージを受信する時、ＰＭＭアイドル状態に前記ＵＥを維持する工程をさらに有することを特徴とする請求項１０に記載の方法。
【請求項１５】
移動体通信システムのＲＮＣ内のコンピュータの内部メモリに直接ローディング可能なコンピュータプログラムであって、
請求項１０乃至１４のいずれかに記載の工程を実行するためのソフトウェアコードを有することを特徴とするコンピュータプログラム。
【請求項１６】
コンピュータが使用可能な媒体に保存されたコンピュータプログラムであって、
移動体通信システムのＲＮＣ内のコンピュータが請求項１０〜１４のいずれかに記載の工程を実行させるようにすることを特徴とする読出可能なコンピュータプログラム。 
【請求項１７】
ＰＭＭアイドルモードのＵＥ（ユーザ機器）に対してＭＢＭＳ（マルチメディア放送／マルチキャスト・サービス）を開始する移動体通信システムのＲＮＣ（無線ネットワーク制御局）であって、前記モードはＳＧＳＮ（サービングＧＰＲＳサポートノード）に接続されたＲＮＣによって制御され、前記ＲＮＣは、
前記ＵＥが回線交換接続モードに移行したことを前記ＳＧＳＮに指示する手段と、 
前記ＳＧＳＮからＭＢＭＳ  ＵＥコンテキストを受信する手段と、
前記ＭＢＭＳに接続されたＵＥを制御することを前記ＲＮＣに気づかせるために、前記ＲＮＣに前記ＭＢＭＳ  ＵＥコンテキストを付加する手段とを有することを特徴とするＲＮＣ。
【請求項１８】
前記指示する手段は、前記ＳＧＳＮにメッセージを送信する手段をさらに有することを特徴とする請求項１７に記載のＲＮＣ。
【請求項１９】
前記ＵＥがＲＲＣ接続である限り、前記ＲＮＣに付加されたＭＢＭＳ  ＵＥコンテキストは、前記ＲＮＣに保持されることを特徴とする請求項１７に記載のＲＮＣ。
【請求項２０】
前記ＳＧＳＮで前記指示を受信する時、ＰＭＭアイドル状態に前記ＵＥを保持する手段をさらに有することを特徴とする請求項１７に記載のＲＮＣ。
【請求項２１】
前記ＳＧＳＮで前記指示を受信する時、ＰＭＭ接続状態に前記ＵＥを移行させる手段をさらに有することを特徴とする請求項１７に記載のＲＮＣ。 
【請求項２２】
ＲＮＣ（無線ネットワーク制御局）によって制御されるＰＭＭアイドルモードのＵＥ（ユーザ機器）に対してＭＢＭＳ（マルチメディア放送／マルチキャスト・サービス）を開始する移動体通信システムのＳＧＳＮ（サービングＧＰＲＳサポートノード）であって、
前記ＲＮＣは前記ＳＧＳＮに接続され、
前記ＵＥが回線交換接続モードに移行したことを示す指示を受信する手段と、
前記ＵＥが一つ以上のセションに関し前記ＭＢＭＳを動作させたかどうかを前記ＳＧＳＮに保存されたＭＢＭＳコンテキスト情報を使ってチェックする手段と、
前記ＭＢＭＳに接続されたＵＥを制御することを前記ＲＮＣに気づかせるために、前記ＲＮＣにＭＢＭＳ  ＵＥコンテキストを付加するために、前記ＲＮＣにＭＢＭＳ  ＵＥコンテキストを提供する手段とを有することを特徴とするＳＧＳＮ。
【請求項２３】
前記ＳＧＳＮで前記指示を受信する時、ＰＭＭアイドル状態に前記ＵＥを保持する手段をさらに有することを特徴とする請求項２２に記載のＳＧＳＮ。
【請求項２４】
前記ＳＧＳＮで前記指示を受信する時、ＰＭＭ接続状態に前記ＵＥを移行させる手段をさらに有することを特徴とする請求項２２に記載のＳＧＳＮ。 
【請求項２５】
前記提供する手段は、Ｉｕリンク要求メッセージを前記ＳＧＳＮから前記ＲＮＣに送信することにより、Ｉｕリンク処理を起動させることで実行されることを特徴とする請求項２２に記載のＳＧＳＮ。
【請求項２６】
ＰＭＭアイドル状態にあり回線交換接続モードにあるＵＥ（ユーザ機器）に対してＭＢＭＳ（マルチメディア放送／マルチキャスト・サービス）を開始する移動体通信システムのＲＮＣ（無線ネットワーク制御局）であって、前記モードはＳＧＳＮ（サービングＧＰＲＳサポートノード）に接続された前記ＲＮＣによって制御され、前記ＲＮＣは、
前記ＵＥが参加する一つ以上のセションに関して前記ＲＮＣのＭＢＭＳ  ＵＥコンテキストを更新するために前記ＵＥからメッセージを受信する手段と、
関係したＭＢＭＳに対して前記ＲＮＣに確立されたＭＢＭＳサービスコンテキストが既に存在するかどうかをチェックする手段とを有し、
前記関係したＭＢＭＳに対して前記ＲＮＣに保存されたＭＢＭＳサービスコンテキストが存在しなければ、前記ＲＮＣはさらに、
前記ＳＧＳＮからＭＢＭＳサービスコンテキスト情報をフェッチする手段と、
前記ＲＮＣのアイデンティティを前記ＳＧＳＮに送信する手段と、
前記ＳＧＳＮからフェッチされた情報に基づいて前記ＲＮＣの前記ＭＢＭＳ  ＵＥコンテキストと前記ＭＢＭＳサービスコンテキストとの内少なくともいずれかを創成或は更新する手段とを有し、
前記ＭＢＭＳサービスコンテキストが既に存在すれば、前記ＲＮＣはさらに、
前記ＲＮＣのＭＢＭＳサービスコンテキストを更新する手段を有することを特徴とするＲＮＣ。 
【請求項２７】
前記ＵＥがＲＲＣ接続である限り、前記ＲＮＣの創成或は更新されたＭＢＭＳ  ＵＥコンテキストを前記ＲＮＣに保持する手段をさらに有することを特徴とする請求項２６に記載のＲＮＣ。
【請求項２８】
Ｉｕｒにより個別に呼出を実行する手段、或は、
第２のＲＮＣに移動したＵＥを呼出すために、Ｉｕｒリンクを実行する手段をさらに有することを特徴とする請求項２６又は２７に記載のＲＮＣ。
【請求項２９】
前記ＵＥが参加した一つ以上のセションに関して前記ＲＮＣのＭＢＭＳ  ＵＥコンテキストを更新するために前記ＵＥから前記ＲＮＣに送信されるメッセージは、新規情報フィールド／情報要素、または新規ＲＲＣ  ＰＤＵ／メッセージとして、無線資源制御（ＲＲＣ）接続要求メッセージで実施されることを特徴とする請求項２６乃至２８のいずれかに記載のＲＮＣ。
【請求項３０】
前記ＲＮＣへの前記メッセージを受信する時、ＰＭＭアイドル状態に前記ＵＥを維持する手段をさらに含むことを特徴とする請求項２６に記載のＲＮＣ。
【国際調査報告】
2007518348.tif 000008